(57)【要約】【課題】  処理対象の画像の入力形態、及び、処理後画像の出力形態の組み合わせにより、省電力化可能部を特定するようにすることで、従来複数のアプリケーションにより個別に実現されていた画像処理機能を１つのアプリケーションに統合した場合にも、実行される画像処理機能ごとのきめ細かな省電力制御を適用可能な画像処理装置を提供すること。【解決手段】  前記省電力制御手段は、前記複数の画像処理機能のうちの、前記所定の省電力状態移行要求が発生したときに選択されていた画像処理機能に係る前記画像入力形態及び前記画像出力形態を特定し、前記省電力可能部を構成する各部のうちの、当該特定した入出力形態の組み合わせでの画像処理機能に関わりのないに部分を特定し、その特定した部分についてのみ消費電力を低減する制御を行うものであることを特徴とする。【選択図】    図２
2005215628.tif 000002
【特許請求の範囲】
【請求項１】
複数の画像入力形態と複数の画像出力形態とに対応し、前記複数の画像入力形態のうちのいずれかの形態で入力された画情報を処理して前記複数の画像出力形態のうちのいずれかの形態で出力する複数の画像処理機能を備える一方、所定の省電力状態移行要求が発生すると装置を構成する各部のうちの低消費電力化が可能な構成である省電力可能部での消費電力を低減する省電力状態に移行する制御を行う省電力制御手段を備えた画像処理装置において、
前記省電力制御手段は、前記複数の画像処理機能のうちの、前記所定の省電力状態移行要求が発生したときに選択されていた画像処理機能に係る前記画像入力形態及び前記画像出力形態を特定し、前記省電力可能部を構成する各部のうちの、当該特定した入出力形態の組み合わせでの画像処理機能に関わりのないに部分を特定し、その特定した部分についてのみ消費電力を低減する制御を行うものであることを特徴とする画像処理装置。
【請求項２】
前記複数の画像入力形態及び複数の画像出力形態のうちの選択された画像入力形態及び画像出力形態の組み合わせに基づいて、実行すべき画像処理機能を特定し当該特定した画像処理機能の実行を制御する画像入出力制御手段を備えたことを特徴とする請求項１に記載の画像処理装置。
【請求項３】
前記画像入出力制御手段は、前記選択された画像入力形態について前記画像出力形態が複数選択された場合、当該選択された画像入力形態と当該複数の画像出力形態のそれぞれとの組み合わせにより特定される複数の画像処理機能の実行を制御するものであることを特徴とする請求項２に記載の画像処理装置。
【発明の詳細な説明】
【技術分野】
【０００１】
本発明は、複写機能、プリンタ機能、ファクシミリ送信機能、ファクシミリ受信機能、スキャナ機能等の複数の画像処理機能を備える一方、省電力機能を備えた、複合機等に好適な画像処理装置に関する。
【背景技術】
【０００２】
従来の複合機等の画像処理装置における省電力モードの制御方法としては、複写機能、ファクシミリ送信／受信機能、プリンタ機能、スキャナ機能などといった複数の画像処理機能が存在することを前提に、それら各画像処理機能のうちの、現在実行されている機能の動作に無関係で、動作を停止させても支障がなく、省電力化可能な部分を決定し、省電力化制御していた。
【０００３】
また、従来は、各画像処理機能ごとに、アプリケーションプログラムが対応していた。具体的には、例えば、複写機能には、複写機能のみを制御するアプリケーションプログラムが対応していた。
【０００４】
一方、本願発明に関連する公知技術としては、特許文献１を挙げることができる。
【０００５】
その特許文献１に記載の技術は、複数のアプリケーション機能を搭載した複合機において、選択されたアプリケーション機能に応じて装置各部を省電力制御ものである。具体的には、例えば、ファクシミリ機能における受信動作中は、定着部や給紙系をオフにすることで省電力化を図る。また、例えばプリンタ機能における印字動作中は、操作パネルやイメージスキャナ部をオフすることで省電力化を図る。
【０００６】
【特許文献１】特開２００１−２０１９８６号公報
【発明の開示】
【発明が解決しようとする課題】
【０００７】
しかし、複数の画像処理機能を統合して、１つの統合されたアプリケーションプログラムにより実現しようとする場合、複写機能やプリンタ機能等の各画像処理機能のそれぞれにアプリケーションソフトウェアが対応するという関係ではなくなってしまうため、現在実行中の画像処理機能を特定して、その特定した画像処理機能について省電力化可能な装置構成を特定して省電力化するような省電力制御が困難であるという問題点があった。
【０００８】
本発明は係る事情に鑑みてなされたものであり、複写機能やプリンタ機能等の画像処理機能の種別に応じてではなく、処理対象の画像の入力形態、及び、処理後画像の出力形態の組み合わせにより、省電力化可能部を特定するようにすることで、従来複数のアプリケーションにより個別に実現されていた画像処理機能を１つのアプリケーションに統合した場合にも、実行される画像処理機能ごとのきめ細かな省電力制御を適用可能な画像処理装置を提供することを目的とする。
【課題を解決するための手段】
【０００９】
請求項１に記載の画像処理装置は、複数の画像入力形態と複数の画像出力形態とに対応し、前記複数の画像入力形態のうちのいずれかの形態で入力された画情報を処理して前記複数の画像出力形態のうちのいずれかの形態で出力する複数の画像処理機能を備える一方、所定の省電力状態移行要求が発生すると装置を構成する各部のうちの低消費電力化が可能な構成である省電力可能部での消費電力を低減する省電力状態に移行する制御を行う省電力制御手段を備えた画像処理装置において、前記省電力制御手段は、前記複数の画像処理機能のうちの、前記所定の省電力状態移行要求が発生したときに選択されていた画像処理機能に係る前記画像入力形態及び前記画像出力形態を特定し、前記省電力可能部を構成する各部のうちの、当該特定した入出力形態の組み合わせでの画像処理機能に関わりのないに部分を特定し、その特定した部分についてのみ消費電力を低減する制御を行うものであることを特徴とする。
【００１０】
請求項２に記載の画像処理装置は、請求項１に記載の画像処理装置において、前記複数の画像入力形態及び複数の画像出力形態のうちの選択された画像入力形態及び画像出力形態の組み合わせに基づいて、実行すべき画像処理機能を特定し当該特定した画像処理機能の実行を制御する画像入出力制御手段を備えたことを特徴とする。
【００１１】
請求項３に記載の画像処理装置は、請求項２に記載の画像処理装置において、前記画像入出力制御手段は、前記選択された画像入力形態について前記画像出力形態が複数選択された場合、当該選択された画像入力形態と当該複数の画像出力形態のそれぞれとの組み合わせにより特定される複数の画像処理機能の実行を制御するものであることを特徴とする。
【発明の効果】
【００１２】
請求項１に係る発明によれば、複写機能やプリンタ機能等の画像処理機能の種別に応じてではなく、処理対象の画像の入力形態、及び、処理後画像の出力形態の組み合わせにより、画像処理機能を表現するようにして、省電力可能部を特定するようにしているため、従来複数のアプリケーションにより個別に実現されていた画像処理機能を１つのアプリケーションに統合した場合でもきめ細かな省電力制御が可能となる効果が得られる。
【００１３】
請求項２に係る発明によれば、画像入力形態及び画像出力形態の選択により、画像処理機能を決定できるため、従来ような、複写機能、プリンタ機能等の画像処理機能の種別の指定により決定する場合と比較して、きめ細かな機能指定が可能となるため、装置の画像処理能力を有効に使用したいっそう利便性の高い画像処理装置を提供することが可能となる効果が得られる。
【００１４】
請求項３に係る発明によれば、１つの画像入力形態、例えば、スキャナによる「原稿読取」に対して、複数の画像出力形態、例えば、プロッタによる「印刷」及びモデムによる「回線送信」が選択された場合、「原稿読取」＋「印刷」の画像処理機能（複写機能に相当）と、「原稿読取」＋「回線送信」の画像処理機能（ファクシミリ送信機能に相当）とを実行できるため、ユーザにとっては、複雑な機能指定を簡便かつ直感的に行え、更にいっそう利便性の高い画像処理装置を提供することが可能となる効果が得られる。
【発明を実施するための最良の形態】
【００１５】
以下、添付図面を参照しながら、本発明を実施するための最良の形態について説明する
【００１６】
図１に、本発明の実施例に係る画像処理装置（複合機）１を含むシステム構成について示す。
【００１７】
同図において、画像処理装置１は、回線網２００に接続され、回線網２００上のＧ３ファクシミリであるファクシミリ装置２０１などと、自装置の備えるファクシミリ機能（送信機能及び受信機能）により、画像データのやりとりを行う。
【００１８】
また、画像処理装置１は、ネットワークとしてのＬＡＮ１００にも接続され、そのＬＡＮ１００にはパーソナルコンピュータ（ＰＣ）が複数（１０１ａ、ｂ、ｃ等）接続されている。そして、画像処理装置１は、自装置の備えるスキャナ機能やプリンタ機能をＬＡＮ上のＰＣ１０１ａなどに提供する。つまり、ＬＡＮ１００を介してＰＣ１０１ａ等から出力依頼された画像データを受け取って、自装置のプロッタにより出力したり（プリンタ機能）、ＬＡＮ１００を介して読み取り依頼された画像データを自装置のスキャナにより読み取ってＬＡＮ１００を介して依頼元のＰＣ１０１ａ等に転送したりする（スキャナ機能）。また、画像処理装置１は、自装置のスキャナ及びプロッタを組み合わせて使用して複写機能を実行したりできる（詳細は後述）。
【００１９】
図２に、画像処理装置１のブロック構成について示す。
【００２０】
同図において、ＣＰＵ２は、ＲＡＭ４を作業領域として使用しつつ、ＲＯＭ３に書き込まれた制御プログラムに基づいて装置各部を制御したり、各種データ処理をしたり、プロトコル制御を行う中央演算処理装置である。
【００２１】
ＲＯＭ３は、ＣＰＵ２が装置各部を制御するための制御プログラムや、各文字コードに対応するフォントデータなどの制御に必要な各種データが記憶されるリードオンリメモリである。
【００２２】
ＲＡＭ４は、前述したようにＣＰＵ２の作業領域として使用されるランダムアクセスメモリである。
【００２３】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００２４】
記憶装置６は、後述する省電力可能部を構成するものであり、回転する磁気ディスクに大容量のデータを記憶蓄積する一方、システムバス１７を介したＣＰＵ２からの指示に応じて磁気ディスクの回転を停止して省電力状態に移行できる。
【００２５】
時計回路７は、現在の日付及び時刻を常に計時しているもので、ＣＰＵ２は、システムバス１４を介して時計回路７を読み出すことで、現在の日時（日付と時刻）を知ることができる。
【００２６】
スキャナ８は、セットされた原稿を読み取って文書画像データを得るためのものである。また、スキャナ８は、後述する省電力可能部を構成するものであり、システムバス１７を介してＣＰＵ２からの指示に応じて動作クロックを停止する等して省電力状態に移行できる。
【００２７】
操作表示部９は、ユーザからの操作入力を受け入れるための各種キーが配設される一方、液晶表示装置等の表示器を備え、ユーザに知らせるべき装置の動作状態や、各種メッセージを表示するものである。また、操作表示９は、後述する省電力可能部を構成するものであり、システムバス１７を介したＣＰＵ２からの指示に応じて、表示ランプや表示器となる液晶のバックライトを消灯する等して省電力状態に移行できる。
【００２８】
プロッタ１０は、画像データを記録紙に印刷出力するためのものである。
また、プロッタ１０は、後述する省電力可能部を構成するものであり、システムバス１７を介したＣＰＵ２からの指示に応じて、電子写真方式のものであれば、定着器用のヒータへの電力供給をＯＦＦする等して省電力状態に移行できる。
【００２９】
給紙部１１は、プロッタ１０に対して、記録媒体となる記録紙を１枚物分離給送するものである。また、給紙部１１は、後述する省電力可能部を構成するものであり、システムバス１７を介したＣＰＵ２からの指示に応じて、省電力状態に移行できる。
【００３０】
ソータ１２は、プロッタ１０により画像が形成された記録紙を仕分けして排出するものである。また、ソータ１２は、後述する省電力可能部を構成するものであり、システムバス１７を介したＣＰＵ２からの指示に応じて、省電力状態に移行できる。
【００３１】
画像データ処理部１３は、生の画像データの符号化圧縮、及び、符号化された圧縮データの復号伸張の符号化復号化処理や、２値化処理、変倍処理、縮小拡大処理、画像補正処理、送信日時や受信日時の文字列情報などの付加情報の付加処理などの、画像処理装置１において扱う画像データに関する各種画像処理を行う。
【００３２】
ＬＡＮ通信制御部１４は、いわゆるＮＩＣ（Network Interface Card）であり、イーサネットのＬＡＮ１００に接続され、イーサネットプロトコル上でのＴＣＰ／ＩＰプロトコルのやりとりにより、その上位の各種アプリケーションが各種情報のやりとりをＬＡＮ１００を介してＰＣ１０１ａなどと行えるようにするためのものである。なお、ＰＣ１０１ａなどとのインターフェースは、ＬＡＮに限らず、ＵＳＢやその他のインターフェースであってもよいのはいうまでもない。
【００３３】
通信制御部１５は、ＮＣＵ部１６を介して回線網２００、具体的には、加入電話回線／自営構内回線の網と接続され、相手側通信端末との通信の制御を行う。その通信制御部１５は、ＮＣＵ部１６を制御し、ＮＣＵ部１６にて検出されたリンギング電圧のパルスの検出や、ＤＴＭＦ信号の検出、トーン信号の検出、送信時の発呼を行う。また、通信制御部１５は、モデムを有しており、相手側通信端末より受信した受信データ（変調されている）を復調したり、逆に、送信時の送信データを変調し送信したりする。具体的には、ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。
【００３４】
ＮＣＵ部１６は回線網２００に接続されて通信制御部１５により制御され、回線の閉結や、呼び出し信号（リンギング）の検出などをおこなう。なお、通信制御部１５及びＮＣＵ部１６ソータ１２は、後述する省電力可能部を構成するものであり、システムバス１７を介したＣＰＵ２からの指示に応じて、省電力状態に移行できる。
【００３５】
システムバス１７は、上記各部がデータをやり取りするためのデータバス・アドレスバス・制御バス、割り込み信号ラインなどにより構成される信号ラインである。
【００３６】
図３に、画像処理装置１のアプリケーションプログラムの構成について示す。
【００３７】
同図において、アプリケーションプログラム５０は、画像入出力制御手段５１、省電力制御手段５２、及び、ユーザＩ／Ｆ制御手段５３を含んでいる。画像入出力制御手段５１は、複数の画像入力形態（後述）のうちの、指定された入力形態で入力された画像を処理して、複数の画像出力形態（後述）のうちの、指定された出力形態で出力する制御を行うものである。省電力制御手段５２は、省電力制御機能を担うものである。ユーザＩ／Ｆ制御手段５３は、画像入出力制御手段５１や省電力制御手段５２と操作表示部９との間に介在して、操作表示部９によるキー操作入力の状態の保持や、画像入出力制御手段５１から指示されたメッセージを操作表示部９に表示したりするユーザインターフェースサービスを提供するものである。
【００３８】
図４に操作表示部９の配置構成について示す。
【００３９】
同図において、テンキー９ａは、数字や「＃」「＊」の各記号を入力するためのものである。［Ｙｅｓ］キー９ｂは、表示器９ｉに表示された内容に対して肯定的な操作入力を行ためのものである。［Ｎｏ］キー９ｃは、表示器９ｉに表示された内容に対して否定的な操作入力を行うためのものである。
【００４０】
［ストップ］キー９ｄは、装置動作の強制的な中断を指示したりするためのものである。［スタート］キー９ｅは、送信開始などの各種装置動作の開始を指示するためのものである。［ファンクション］キー９ｆは、その押下操作と、テンキー９ａによる番号入力操作との組み合わせにより、各種設定・登録機能を呼び出したりするためのものである。
【００４１】
矢印キー群９ｇは、［↑］キー９ｇｕ、［↓］キー９ｇｄ、［→］キー９ｇｒ、及び、［←］キー９ｇｌにより構成され、表示器９ｉに表示され選択項目のうちの特定項目を選択したり、表示器９ｉの表示を上下左右にスクロールさせたりするためのものである。
【００４２】
キーボート部９ｈは、アルファベット、仮名等に入力するためのものである。表示器９ｉはバックライト付き液晶表示器などにより構成され、装置の動作状態や各種メッセージを表示するためのものである。［短縮］キー９ｊは、［短縮］キー９ｊを押下して２桁または３桁の番号を指定することで、宛先番号の指定の簡略化を図る短縮ダイヤル機能のためのものである。
【００４３】
［省エネ］キー９ｓは、押下されると、所定の省電力状態移行要因を省電力制御手段５２に対して発生するものである。
【００４４】
［原稿読取］キー９ｋ、［回線から受信］キー９ｌ、［蓄積文書読出］キー９ｍ、及び、［ＰＣから転送］キー９ｎは、それぞれ、画像の入力形態を、「原稿読取」、「回線から受信」、「蓄積文書読出」、及び、「ＰＣから転送」のいずれかに設定する「入力指定」のためのためのキーである。それらのキーに対応してインジケータランプ９ｋｉ、９ｌｉ、９ｍｉ、及び、９ｎｉが配置されている。キー９ｋ、キー９ｌ、キー９ｍ、及び、キー９ｎの押下状態は、ユーザＩ／Ｆ制御手段５３により管理され、いずれか１つのキー（画像入力形態）のみが選択された状態となる。つまり、いずれか１つのキーに対応するインジケータランプのみが点灯した状態となる。図においては、［原稿読取］キー９ｋが押下されて、インジケータランプ９ｋｉのみが点灯している状態にある。ここでもし、［回線から受信］キー９ｌが押下されれば、インジケータランプ９ｋｉは消灯し、インジケータランプ９ｌｉが点灯することになる。
【００４５】
［印刷］キー９ｏ、［回線へ送信］キー９ｐ、［蓄積］キー９ｑ、及び、［ＰＣへ転送］キー９ｒは、それぞれ、処理後の画像の出力形態を、「印刷」、「回線へ送信」、「蓄積」、及び、「ＰＣへ転送」のいずれかに設定するための「出力指定」のためのキーである。それらのキーに対応してインジケータランプ９ｏｉ、９ｐｉ、９ｑｉ、及び、９ｒｉが配置されている。キー９ｏ、キー９ｐ、キー９ｑ、及び、キー９ｒの押下状態は、ユーザＩ／Ｆ制御手段５３により管理され、１つまたは２つのキー（画像入力形態）のみが選択された状態となる。つまり、いずれか１つまたは２つのキーに対応するインジケータランプのみが点灯した状態となる。図においては、［印刷］キー９ｏが押下されて、インジケータランプ９ｏｉが点灯し、また、［蓄積］キー９ｑが押下されて、インジケータランプ９ｑｉが点灯している状態にある。ここでもし、［印刷］キー９ｏが押下されればインジケータランプ９ｏｉが消灯し、その状態で再度［印刷］キー９ｏが押下されればインジケータランプ９ｏｉが点灯する。更に、［印刷］キー９ｏを押下してインジケータランプ９ｏｉを消灯した状態で、［回線へ送信］キー９ｐを押下すれば、インジケータランプ９ｐｉが点灯した状態となる（インジケータランプ９ｑｉと共に）。
【００４６】
図５に画像処理装置１のＲＯＭ３の記憶内容について示す。同図において、ＲＯＭ３には、入出力形態／画像処理機能種別対応テーブル３ａが予め記憶されている。これは、図４の「入力指定」のキー群に対応する「入力形態」、つまり、「原稿読取」、「回線から受信」、「蓄積文書読出」、及び、「ＰＣから転送」と、図４の「出力指定」のキー群に対応する「出力形態」、つまり、「印刷」、「回線へ送信」、「蓄積」、及び、「ＰＣへ転送」のそれぞれの組み合わせに、「画像処理機能種別」、「動作要構成」及び「起動要因」を対応つけたものである。なお、「原稿読取」は、画像入力手段としてのスキャナ８に対応し、「回線から受信」は、画像入力手段としての通信制御部１５及びＮＣＵ部１６対応し、「蓄積文書読出」は、画像入力手段としての蓄積装置６に対応し、「ＰＣから転送」は、画像入力手段としてのＬＡＮ通信制御部１４に対応している。また、「印刷」は、画像出力手段としてのプロッタ１０（と給紙部１１及びソータ１２）、「回線へ送信」は、画像出力手段としての通信制御部１５及びＮＣＵ部１６に対応し、「蓄積」は、画像出力手段としての蓄積装置６に対応し、「ＰＣへ転送」は、画像出力手段としてのＬＡＮ通信制御部１４に対応している。
【００４７】
そのような複数の「入力形態」と複数の「出力形態」とをそれぞれ組み合わせすることで、多様な画像処理機能を表現することができる。もし、図５により表現される多数の画像処理機能種別の名称を、図４の操作表示部９の表示器９ｉに表示したり、各種別の機能に対応するキーを配設して、ユーザに選択させるとすると、具体的にどのような機能なのがわかりにくく、ご指定も生じやすい。
【００４８】
しかし、本実施例では、「入力形態」と「出力形態」の組み合わせにより、所望の画像処理機能を指定できるため、画像処理装置１に行わせたい画像処理機能の指定を直感的かつ簡便な指定形態で行うことができる。なお、その場合、指定された「入力形態」と「出力形態」の組み合わせに対応する画像処理機能種別の名称を表示器９ｉに表示して、ユーザが自分が選択した機能について把握できるようにして、更なる利便性の向上を図るようにすることも考えられる。
【００４９】
「動作要構成」は、省電力可能部、つまり、「操作表示部」（操作表示部９に対応）、「スキャナ」（スキャナ８に対応）、「プロッタ」（プロッタ１０に対応）、「給紙部」（給紙部１１に対応）、「ソータ」（ソータ１２に対応）、「回線通信部」（通信制御部１５及びＮＣＵ部１６に対応）、「ＰＣ通信部」（ＬＡＮ通信制御部１４に対応）、及び、「記憶装置」（記憶装置６に対応）のうち、対応する「画像処理機能種別」の画像処理機能が動作する際に必要な構成を示すものである。例えば「原稿読取」と「回線送信」に対応する「ファクシミリ送信」では、操作表示部（識別番号１）、スキャナ（識別番号２）、及び、回線通信部（識別番号６）が「動作要構成」である。逆にいえば、省電力可能部を構成する各部のうち、「動作要構成」以外は、省電力状態にしてもよいと判断できる。したがって、「動作要構成」ではなく、「省電力可能構成」を、テーブル３ａに明示的に登録するようにしても本質的に同じ事である。
【００５０】
「起動要因」は、対応する「画像処理機能種別」の機能を何を契機に起動するかを示すものであり、「原稿セット」は、「スキャナ８に原稿がセットされたことが検出された時」を示し、「［スタート］キー」は、「［スタート］キー９ｅが押下されたことが検出された時」を示し、「着信検出」は、「ＮＣＵ部１６により着信が検出されたとき」を示し、「ＰＣからの要求」は、「ＬＡＮ通信制御部１４」を介したＰＣ１０１ａなどからの要求が検出さけたとき」を示している。なお、「起動要因」は、「入力形態」に応じて決まり、「出力形態」には依存しない。
【００５１】
なお、テーブル３ａに登録された多数の「画像処理機能種別」にそれぞれ対応する画像処理機能は、図５０のアプリケーションプログラム５０を構成する画像入出力制御手段５１のプログラムとして組み込まれており、「入力形態」と「出力形態」との組み合わせに応じて対応する機能が実行される。
【００５２】
図６に画像処理装置１のＲＡＭ４の記憶内容について示す。
【００５３】
同図において、ＲＡＭ４には、入力形態指定情報４ａ、第１出力形態指定情報４ｂ、第２出力形態指定情報４ｃの各記憶内容が格納される。情報４ａ、４ｂ、及び、４ｃは、画像入出力制御手段５１により設定され、省電力制御手段５２により参照される情報である。
【００５４】
入力形態指定情報４ａは、値０が（指定なし）を示し、値１ないし４が図に示すとおりの各入力形態に対応している。第１出力形態指定情報４ｂ及び第２出力形態指定情報４ｃは、値０が（指定なし）を示し、値１ないし４が図に示すとおりの各出力形態に対応している。なお、情報４ａ、４ｂ、及び、４ｃの初期値は０（指定なし）である。
【００５５】
図７に、画像処理装置１のＥＥＰＲＯＭ５の記憶内容について示す。
【００５６】
同図において、ＥＥＰＲＯＭ５には、既定入力形態指定情報５ａ、既定第１出力形態指定情報５ｂ、及び、既定第２出力形態５ｃが予め設定記憶されている。その設定は、ユーザの所望するところに応じてなされるもので、画像処理装置１の図５に示しような、「入力形態」と「出力形態」との組み合わせにより特定される多数の画像処理機能のうちのどの機能をふだんよくつかうのかを設定するものである。
【００５７】
既定入力形態指定情報５ａは、値０が（指定形態に固定）を示し、値１ないし４が図に示すとおりの各入力形態に対応している。既定第１出力形態指定情報５ｂ、及び、既定第２出力形態５ｃ、それぞれ、値０が（指定形態に固定）を示し、値１ないし４が図に示すとおりの各出力形態に対応している。
【００５８】
情報５ａ、５ｂ及び５ｃは、画像入出力制御手段５１により参照されるもので、［ファンクション］キー９ｆと所定の番号の入力の組み合わせ操作により、登録モードに起動することで、予め設定・登録される。
【００５９】
図８に、画像入出力制御手段５１における処理手順について示す。
【００６０】
同図において、まず、図４に示した「入力指定」及び「出力指定」の各キーによる設定状態を確認することにより、図５のテーブル３ａにおける「入力形態」の指定状態を確認する（処理Ｓ１０１）。
【００６１】
そして、その確認した入力形態に対応した「起動要因」の発生を待つ（処理Ｓ１０２、判断Ｓ１０３のＮｏのループ）。そして、「起動要因」が発生すると（判断Ｓ１０３のＹｅｓ）、第１、第２出力形態の指定状態を確認する（処理Ｓ１０４）。なお、その場合、第１出力形態とは、図４の「出力指定」のキー群により１つのみ「出力形態」が指定されている場合には当該「出力形態」を示し、２つの「出力形態」が指定されている場合にはいずれか一方の「出力形態」を示し、第２の出力形態は他方の「出力形態」を示す。
【００６２】
そして、処理Ｓ１０１で確認した入力形態指定情報と、処理Ｓ１０４で確認した第１（及び第２）出力形態指定情報とを、図６の記憶領域４ａ、４ｂ及び４ｃにそれぞれ設定する。つまり、図６の記憶領域４ａ、４ｂ及び４ｃに、値０（指定ない）以外の値が設定されていれば、当該値の組み合わせにより特定される画像処理機能が、画像入出力制御手段５１により実行中であることを示している。後述するように、省電力制御手段５２は、図６の記憶領域４ａ、４ｂ及び４ｃを参照することで、画像入出力制御手段５１がなんらかの画像処理機能を実行中であるか否か、及び、実行中の画像処理機能の種別（「入力形態」と「出力形態」との組み合わせにより特定される）を知ることができる。
【００６３】
処理Ｓ１０５設定の後は、その設定した、入力形態と第１出力形態に図５のテーブル３ａにおいて対応する画像処理機能の種別を特定し（処理Ｓ１０６）、その特定した画像処理機能を終了するまで実行する（処理Ｓ１０７、判断Ｓ１０８のＮｏのループ）。
【００６４】
終了すると（判断Ｓ１０８のＹｅｓ）、第２の出力形態の指定の有無を確認する（処理Ｓ１０９）。つまり、図６の第２出力形態指定情報４ｃが値０（指定なし）か否かを確認する。
【００６５】
指定がない場合、つまり、１つの出力形態（第１出力形態）のみしか指定されていなかった場合には（判断Ｓ１１０のＮｏ）、入力形態及び第１、第２の出力形態の指定状態、つまり、図４の操作表示部におけるインジケータランプ９ｋｉないし９ｒｉの点灯状態を共に図４の記憶領域５ａ、５ｂ及び５ｃに予め設定された「既定形態」に設定する（処理Ｓ１１５）。その場合、図４の記憶領域５ａ、５ｂ及び５ｃの設定が「０（指定形態に固定）」のものがある場合には、処理Ｓ１０１及び処理Ｓ１０４で確認された指定状態を優先して、その指定状態を維持する。図４の記憶領域５ａ、５ｂ及び５ｃの設定が「０（指定形態に固定）」以外なら、各値に対応した「既定形態」に設定する。
【００６６】
これにより、たまにしか使用しない機能（「入力形態」と「出力形態」の組み合わせにより特定される）を指定して実行しても、その指定した機能の実行の完了後は、ユーザがよく利用する機能を指定する状態に自動的に戻るため、装置の利便性を高めることができる。
【００６７】
処理Ｓ１１５の後は、処理Ｓ１０５において、ＲＡＭ４の記憶領域４ａ、４ｂ及び４ｃにそれぞれ設定した入力形態指定情報及び第１、第２出力形態指定情報を「指定なし（値０）」に設定して（処理Ｓ１１６）、処理を終了する。ＲＡＭ４の記憶領域４ａ、４ｂ及び４ｃが「指定なし（値０）」に設定されることは、現在、画像入出力制御手段５１により実行されている画像処理機能はないことを示す。
【００６８】
判断Ｓ１１０において、第２出力形態の指定がある場合には（判断Ｓ１１０のＹｅｓ）、処理Ｓ１０５で設定した、入力形態と第２出力形態に図５のテーブル３ａにおいて対応する画像処理機能の種別を特定し（処理Ｓ１１１）、その特定した画像処理機能を終了するまで実行する（処理Ｓ１１２、判断Ｓ１１３のＮｏのループ）。終了すると（判断Ｓ１１３のＹｅｓ、処理Ｓ１１４に移行する。
【００６９】
これにより、１つの「入力形態」に対して第１及び第２の２つの「出力形態」が選択されると、「入力形態」の各「出力形態」とのそれぞれの組み合わせにより特定される２種類の画像処理機能が連続実行されるため、従来の複写機能やファクシミリ送信機能等の機能を直接指定する場合と比較して、柔軟で利便性の高い画像処理機能をユーザに提供できる。なお、１つの「入力形態」と組み合わせ指定する「出力形態」としては１つまたは２つに限らず、１つ２つ３つまたは４つもしくはそれ以上であってもよいのはいうまでもない。
【００７０】
図９に省電力制御手段５２における処理手順について示す。
【００７１】
同図において、［省エネ］キー９ｓが押下されるのを待ち（判断Ｓ２０１のＮｏのループ）、押下されると、図６の記憶領域４ａ、４ｂ及び４ｃを参照して、入力形態指定情報、第１、及び、第２出力形態指定情報が全て「指定なし（値０）」かを確認する（処理Ｓ２０２）。
【００７２】
その確認の結果、すべて「指定ない」の場合、つまり、画像入出力制御手段５１により現在、図５のテーブル３ａに示されるいずれの画像処理機能も実行されていない場合には（判断Ｓ２０３のＹｅｓ）、全ての省電力可能部（図５参照）を省電力状態にした上で（処理Ｓ２０９）、動作状態への復帰要因となる［省エネ］キー９ｓの押下を待ち（判断Ｓ２１０のＮｏのループ）、押下されると（判断Ｓ２１０のＹｅｓ）、全ての省電力可能部（図５参照）を動作状態に復帰さた上で（処理Ｓ２１１）、判断Ｓ２０１に戻る。
【００７３】
これにより、画像処理動作がいっさい行われていないときには、最大限の省電力効果を得ることができる。
【００７４】
判断Ｓ２０３において、「指定あり」の場合、つまり、画像入出力制御手段５１により、現在何らかの画像処理動作が実行中の場合には（判断Ｓ２０３のＮｏ）、図６の入力形態指定情報４ａ及び第１出力形態指定情報４ｂの組み合わせから、図５のテーブル３ａを参照して、対応する動作要構成を特定する（処理Ｓ２０４）。
【００７５】
また、同様に、図６の入力形態指定情報４ａ及び第２出力形態指定情報４ｃの組み合わせから、図５のテーブル３ａを参照して、対応する動作要構成を特定する（処理Ｓ２０５）。
【００７６】
図５に示す省電力可能部のうちの、処理Ｓ２０４及び処理Ｓ２０５で特定された動作要構成を除外したものを、省電力状態にした上で（処理Ｓ２０６）、動作状態への復帰要因となる［省エネ］キー９ｓの押下を待ち（判断Ｓ２０７のＮｏのループ）、押下されると（判断Ｓ２０７のＹｅｓ）、処理Ｓ２０６で省電力状態とした省電力可能部を動作状態に復帰させた上で（処理Ｓ２０８）、判断Ｓ２０１に戻る。
【００７７】
これにより、画像入出力制御手段５１において画像処理動作が実行中であっても、その実行中の画像処理動作に支障を来さない範囲内で最大限の省電力効果を得ることができる。
【００７８】
また、その場合実行中の画像処理機能は「入力形態」と「出力形態」との組み合わせにより特定されるため、「入力形態」と「出力形態」との組み合わせにより実現される、図５に示すような多様な画像処理機能に対して省電力制御機能を柔軟に適用することができる。
【００７９】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００８０】
【図１】本発明の一実施例に係る画像処理装置を含むシステム構成について示す図である。
【図２】本発明の一実施例に係る画像処理装置のブロック構成について示す図である。
【図３】本発明の一実施例に係る画像処理装置のアプリケーションプログラム構成について示す図である。
【図４】本発明の一実施例に係る画像処理装置の操作表示部の構成について示す図である。
【図５】本発明の一実施例に係る画像処理装置のＲＯＭの記憶内容について示す図である。
【図６】本発明の一実施例に係る画像処理装置のＲＡＭの記憶内容について示す図である。
【図７】本発明の一実施例に係る画像処理装置置のＥＥＰＲＯＭの記憶内容について示す図である。
【図８】本発明の一実施例に係る画像形成装置のアプリケーションプログラムを構成する画像入出力制御手段の処理手順について示すフローチャートである。
【図９】本発明の一実施例に係る画像形成装置のアプリケーションプログラムを構成する省電力制御手段の処理手順について示すフローチャートである。
【符号の説明】
【００８１】
１  画像処理装置（複合機）
２  ＣＰＵ
３  ＲＡＭ
４  ＲＯＭ
５  ＥＥＰＲＯＭ
６  記憶装置
７  時計回路
８  スキャナ
９  操作表示部
１０  プロッタ
１１  給紙部
１２  ソータ
１３  画像データ処理部
１４  ＬＡＮ通信制御部
１５  通信制御部
１６  ＮＣＵ部
１７  システムバス
５０  アプリケーションプログラム
５１  画情報入出力制御手段
５２  省電力制御手段
５３  ユーザＩ／Ｆ制御手段
１０１ａ、ｂ、ｃ  パーソナルコンピュータ（ＰＣ）
【図１】
2005215628.tif 000003
【図２】
2005215628.tif 000004
【図３】
2005215628.tif 000005
【図４】
2005215628.tif 000006
【図５】
2005215628.tif 000007
【図６】
2005215628.tif 000008
【図７】
2005215628.tif 000009
【図８】
2005215628.tif 000010
【図９】
2005215628.tif 000011